(57)【要約】【課題】オーブン、ガスレンジまたは電子レンジ、フード、又はこれらが互いに組み合わせられて設けられた厨房用機器と、厨房の壁面に上記厨房用機器を懸架設置し、使用者の便宜によりその高さを自由に調節して固定するための厨房用機器の昇降装置を提供する。【解決手段】電気エネルギーを用いて食べ物を調理できる電気調理機器と、前記電気調理機器の上部または側面の上部に設けられ、前記電気調理機器と調理される食べ物とから発生する気体を排出するためのフードと、前記電気調理機器と前記フードとを内部に設けて厨房から分離させるケースと、厨房壁面に昇降できるように取り付けられ、相対的に厨房の内部に向かう前記ケースの前面に対してその後面に固定的に取り付けられる可動板とを含む。【選択図】図１
2004520564.tif 000002
【特許請求の範囲】
【請求項１】
ガスまたは電気エネルギーを用いて食べ物を調理できる電気調理機器と、
前記電気調理機器の上部または側面の上部に設けられ、前記電気調理機器と調理される食べ物とから発生する気体を排出するためのフードと、
前記電気調理機器と前記フードとを内部に設けて厨房から分離させるケースと、
厨房壁面に昇降できるように取り付けられ、相対的に厨房の内部に向かう前記ケースの前面に対してその後面に固定的に取り付けられている可動板とを含むことを特徴とする厨房用機器。
【請求項２】
前記ケースの下面に摘みが更に設けられることを特徴とする請求項１に記載の厨房用機器。
【請求項３】
前記可動板は、
前記壁面に対して、前記厨房用機器の位置を固定するための固定手段を更に含むことを特徴とする請求項１に記載の厨房用機器。
【請求項４】
ガスまたは電気エネルギーによって食べ物を調理する厨房用機器と、
前記厨房用機器に取り付けられた固定板１０と、
厨房壁面に取り付けられ、前記固定板に対して相対的に昇降できるように結合された可動板２０と、
使用者の操作により、前記固定板に対して昇降する可動板の位置が調節され、その調節される位置にあるように支持する昇降調節部を含むことを特徴とする厨房用機器の昇降装置。
【請求項５】
前記固定板と前記可動板とが当接する面などが滑りながら移動できるように、その移動を案内するガイドレールを更に含むことを特徴とする請求項４に記載の厨房用機器の昇降装置。
【請求項６】
前記ガイドレール３０は、
前記固定板１０の両方ブラケット１１の内方に固定し、両方の内方に湾曲部を有するアウトレール３１と、
前記可動板２０の両方のブラケット２１の外方に固定し、外方に湾曲部を有するインナーレール３２と、
前記アウトレールと前記インナーレールとの対応する湾曲部に介在される複数のベアリング３３を含むことを特徴とする請求項５に記載の厨房用機器の昇降装置。
【請求項７】
前記固定板１０と前記可動板２０とをそれぞれ覆うインナーカバースライド８０とアウトカバー９０とが更に含まれることを特徴とする請求項４に記載の厨房用機器の昇降装置。
【請求項８】
前記昇降調節部は、
所定の弾性力を有する板状のコイルスプリングと、
前記板状のコイルスプリングの一端部を固定し、自体の軸に前記板状のコイルスプリングを巻いたローラーと、
前記固定板１０の上部に前記ローラーを固定するローラーブラケットと、
前記板状のコイルスプリングの他端部を固定する前記可動板の固定部とを含むことを特徴とする請求項４に記載の厨房用機器の昇降装置。
【請求項９】
前記固定板に前記可動板２０を固定するための固定手段を更に含むことを特徴とする請求項８に記載の厨房用機器の昇降装置。
【請求項１０】
前記固定手段は、
前記固定板１０に固定され、ラック５１を有するストッパバー５０と、
前記ストッパバーの上下長さ方向に昇降しながら、前記可動板２０が前記ラックに係止／係止解除するストッパと、
前記ストッパと連結されて前記係止／係止解除を機構的に調節するノブ調節部を含むことを特徴とする請求項９に記載の厨房用機器の昇降装置。
【請求項１１】
前記ストッパは、
前記ラックに係止と係止解除とを遂行する係止具と、
前記係止具が前記ラックに噛み合うように前記係止具に回転力を加えるねじりコイルばねと、
前記係止具の回転力を制御するために、その端部と連結されたアクションワイヤ６２を含むことを特徴とする請求項１０に記載の厨房用機器の昇降装置。
【請求項１２】
前記ノブ調節部は、
前記厨房用機器２００の下部の両方に固定される支持部７１の間に結合されたパイプ７２と、
第１のエンドキャップ７３と第２のエンドキャップ７４との間に貫通して固定されたタブ棒７５からなり、前記パイプ７２内に挿入固定されたスライドノブ支持体７６と、
前記第１のエンドキャップ７３と第２のエンドキャップ７４との間のタブ棒７５に貫通してスライドスプリング７７で弾性力を有するように設けられたスライダ７８と、
前記パイプ７２のスライダ作動区間に切欠長孔７２ｈを形成して前記スライダ７８に固定されるノブ７９とを含むことを特徴とする請求項１０に記載の厨房用機器の昇降装置。
【請求項１３】
前記第１のエンドキャップまたは第２のエンドキャップ７３、７４の上面には溝Ｈが形成され、前記溝内に挿入されたスプリングＳと、
前記スプリングの弾性力により前記パイプに形成された孔に突出されるように結合されたボールスプリング体Ｂとを含むことを特徴とする請求項１２に記載の厨房用機器の昇降装置。
【請求項１４】
前記昇降調節部は、
所定の弾性力を有し、前記固定板１０の下部の折曲げフランジ１０Ｆと可動板２０の上部の折曲げフランジ２０Ｆとの間に固定される少なくとも１個以上のガススプリング４０を含むことを特徴とする請求項４に記載の厨房用機器の昇降装置。
【請求項１５】
前記固定板１０と前記可動板２０とをそれぞれ覆うインナーカバースライド８０とアウトカバー９０とが更に含まれることを特徴とする請求項１４に記載の厨房用機器の昇降装置。
【請求項１６】
前記固定板に前記可動板２０を固定するための固定手段を更に含むことを特徴とする請求項１４に記載の厨房用機器の昇降装置。
【請求項１７】
前記固定手段は、
前記固定板１０に固定され、ラック５１を有するストッパバー５０と、
前記ストッパバーの長手方向に昇降しながら、前記可動板２０が前記ラックに係止／係止解除するストッパと、
前記ストッパと連結されて前記係止／係止解除を機構的に調節するノブ調節部とを含むことを特徴とする請求項１６に記載の厨房用機器の昇降装置。
【請求項１８】
前記ストッパは、
前記ラックに係止と係止解除とを遂行する係止具と、
前記係止具が前記ラックに噛み合うように前記係止具に回転力を加えるねじりコイルばねと、
前記係止具の回転力を制御するために、その端部と連結されたアクションワイヤ６２とを含むことを特徴とする請求項１７に記載の厨房用機器の昇降装置。
【請求項１９】
前記ノブ調節部７０Ａは、
前記厨房用機器２００の一側部に露出したノブ７１Ａと連結された軸７２Ａと、
前記軸７２Ａに貫通固定し、一側部にアクションワイヤケーブル６２−１を固定し、ボールスプリング７３Ａと係止顎７４Ａとを備えた固定部７５Ａと、
前記固定部７５Ａ上に結合され、係止顎７４Ａにより回転角度が制限されるガイド切欠部７６Ａと、
前記アクションワイヤ６２Ａ端のピン６２Ｐを固定する固定ブラケット７７Ａを備えた回転板７８とから構成されていることを特徴とする請求項１７に記載の厨房用機器の昇降装置。
【請求項２０】
前記固定板１０と前記可動板２０とをそれぞれ覆うインナーカバースライド８０とアウトカバー９０とが更に含まれることを特徴とする請求項１６に記載の厨房用機器の昇降装置。
【発明の詳細な説明】
【０００１】
【発明の属する技術分野】
本発明は厨房用機器に関し、特に、オーブン、レンジ、フード、またはこれらが互いに組み合わせられて設けられた厨房用機器と、厨房の壁面に上記厨房用機器を懸架設置し、使用者の便宜によりその高さを自由に調節して固定するための厨房用機器の昇降装置に関するものである。
【０００２】
【従来の技術】
家庭の厨房に設けられているガスレンジなどの厨房用機器は、この機器の上部に所定の距離離間してフードが共に設けられている。従って、このフードは、上記厨房用機器から発生するガスや食べ物から発生する気体を室外に送り出す。上記厨房用機器は、ガスレンジと一体のオーブン、或いは、ガスレンジの下部にオーブンを別に装着するものを含む。
【０００３】
しかし、従来の技術による厨房用機器とフードとは、その間が相対的に遠く離れているため、上記フードは、食べ物から発生する気体をほとんど外部に排出させることができないという問題点を有している。
【０００４】
【発明が解決しようとする課題】
本発明の主な目的は、厨房の壁面に設けられ、その設けられる高さが自由に調節でき、厨房で調理される食べ物から発生する気体を室外に完全に排出させることができる厨房用機器とその昇降装置を提供することである。
【０００５】
本発明の他の目的は、厨房の壁面に設けられ、その設けられる高さが自由に調節でき、フードと共に設けられて、厨房で調理される食べ物から発生する気体を室外に完全に排出できる厨房用機器と、さらに他の装置を追加せずに、上記厨房用機器自体を昇降させて上記厨房用機器に食べ物を出し入れさせるための厨房用機器の昇降装置を提供することである。
【０００６】
本発明のさらに他の目的は、厨房の壁面に設けられ、その設けられる高さが自由に調節でき、フードと共に設けられて、さらに他の装置を追加せずに、上記フード自体を昇降させて厨房で調理される食べ物から発生する気体を室外に完全に排出できる厨房用機器と、上記厨房用機器を昇降させるための昇降装置を提供することである。
【０００７】
【課題を解決するための手段】
このために、本発明による厨房用機器は、ガスまたは電気エネルギーを用いて飲食を調理できる電気調理機器と、前記電気調理機器の上部または側面の上部に設けられ、前記電気調理機器と調理される食べ物とから発生する気体を排出するためのフードと、前記電気調理機器と前記フードとを内部に設けて厨房から分離させるケースと、厨房壁面に昇降できるように取り付けられ、相対的に厨房の内部に向かう前記ケースの前面に対してその後面に固定的に取り付けられる可動板とを含んで実施することにより達成され得る。
このために、本発明による厨房用機器の昇降装置は、電気エネルギーによって食べ物を調理する厨房用機器と、前記厨房用機器に取り付けられた固定板と、厨房壁面に取り付けられ、前記固定板に対して相対的に昇降できるように結合された可動板と、使用者の操作により、前記固定板に対して昇降する可動板の位置が調節され、その調節される位置にあるように支持する昇降調節部を含んで実施することにより達成され得る。
【０００８】
【発明の実施の形態】
図１は本発明による厨房用機器とその昇降装置を示した斜視図であって、参照符号“２００”は厨房用機器を表し、参照符号“１００”は上記厨房用機器２００の昇降装置を表す。
【０００９】
ここで、上記厨房用機器２００とは、ケースにオーブン、ガス、もしくは電子レンジのような電気調理機器、或いはフードが互いに組み合わされてもいいし、フードのみでもよい。
【００１０】
図２は、本発明の第１の実施の形態による厨房用機器の昇降装置を示した正面図であり、図３は、図２の分解斜視図である。
【００１１】
図示されたように、本発明による厨房用機器の昇降装置１００は、その両方の外側面に形成された外方ブラケット１１を有し、ねじによって厨房の壁面に固着された固定板１０と、上記外方ブラケット１１に対応してその内方に形成された内方ブラケット２１を両方に備え、前面板の両方に昇降される厨房用機器２００の後面が係止され得るようにフック形状の係止片２２が形成された可動板２０と、上記固定板１０及び上記可動板２０の両方に形成された外方ブラケット１１及び内方ブラケット２１の間に長手方向に設けられたガイドレール３０と、上記固定板１０の上部に固設され、所定のローラーと、このローラーに巻かれた板状のコイルスプリングと、この板状のコイルスプリングの端部に形成された係止部４３とを含み、この係止部４３が上記可動板２０の上部に少なくとも１個以上のねじによって固定されている昇降懸架装置４０を含む。上記昇降懸架装置４０は、上記板状のコイルスプリングの弾性力によって、上記厨房用機器の位置を調節する。
【００１２】
ここで、上記ガイドレール３０は、上記固定板１０の内方ブラケット１１の内方に固定されたアウトレール３１と、上記可動板２０の外方ブラケット２１の外方に固定されたインナーレール３２とから構成され、これらアウトレール３１とインナーレール３２との両端部は、それぞれ互いに向かって湾曲しており、互いに重なることができるように形成されている。これら湾曲部分の間には、複数のベアリング３３が挿入されている。
【００１３】
上記昇降懸架装置４０は、上記固定板１０の上部に一定間隔に固定されたチャンネル形ローラーブラケット４４と、このローラーブラケット４４に、ローラーシャフト４５によって結合され、Ｅ字形状のつめリングで固定されたローラー４１と、このローラー４１に一端部が固定されて巻かれ、他端部が上記可動板２０に固定された板状のコイルスプリング４２とを含む。
【００１４】
図４は、本発明の第２の実施の形態による厨房用機器の昇降装置を示した分解斜視図である。図５は、本発明の第２の実施の形態による厨房用機器の昇降装置の正面図であり、図６は、図５を詳しく示した拡大図である。また、図７は、本発明による第２の実施の形態の側面図である。
【００１５】
図示されたように、第２の実施の形態による上記厨房用機器の昇降装置は、更に、第１の実施の形態の固定板１０及び可動板２０に第１の昇降位置固定手段を含む。
【００１６】
上記昇降位置固定手段は、上記固定板１０に取り付けられ、ラック５１が形成されたストッパバー５０と、このストッパバー５０の長手方向に上下に昇降されながら、可動板２０に形成された孔２３を介して係止／係止解除する係止具６１を含んだストッパ６０と、図５と図７に示されたように、上記厨房用機器２００の下方に取り付けられた摘み２１０に設けられたノブ装置７０と、上記摘み２１０のノブを作動させることにより、上記ストッパ６０の係止具６１を引っ張り／弛緩させるために、上記係止具６１と上記ノブ装置７０とを連結するアクションワイヤ６２とを含む。
【００１７】
上記ストッパ６０は、上記可動板２０に固定されたストッパブラケット６３と、このストッパブラケット６３にストッパピン６４により結合され、Ｅ字形状のつめリングで固定されたフック形状の係止具６１と、この係止具６１が上記ラック５１に係止されるようにするねじりコイルばね６５とから構成されている。
【００１８】
図８は、本発明の第３の実施の形態であって、上記固定板１０と上記可動板２０とのそれぞれに、インナーカバースライド８０とアウトカバー９０とがそれぞれ固定され、厨房用機器の昇降作用によって上記インナーカバースライド８０がスライディングされ、フレキシブルな煙筒などの排出装置を覆うことができるように構成されていてもよい。
【００１９】
一方、上記ノブ装置７０と上記第１の固定手段とが連結される関係は、次の通りである。
【００２０】
図９は、本発明による厨房用機器の摘みに含まれたノブ装置の正断面図であり、図１０は、図９の平断面図である。また、図１１は、上記ノブ装置の分解斜視図である。
【００２１】
図示されたように、摘み２１０は、使用者が掴むことができるパイプ７２と、厨房用機器２００の下面に上記パイプ７２を支持する支持部７１などから構成されている。
【００２２】
上記ノブ装置７０は、上記パイプ７２の内方に所定の間隔を置いて設けられた第１のエンドキャップ７３及び第２のエンドキャップ７４、これら第１及び第２のエンドキャップ７３，７４の間に固定されたスライダ７８、上記第１及び第２のエンドキャップ７３，７４と上記スライダ７８とを貫通して固定されたタブ棒７５、及びスライダ７８と上記第２のエンドキャップ７３との間で上記タブ棒７４を覆い被せるスライダばね７７などを含むスライドノブ支持体７６と、このスライドノブ支持体７６と上記固定手段とを連結するアクションワイヤ６２とを含む。
【００２３】
上記スライダ７８は、上記パイプ７２の切欠長孔７２ｈを貫通して外部に突出されるノブ７９を更に含む。また、上記タブ棒７５の両端には、ねじ山が形成されており、このねじ山にボルトが直接結合されても、また、所定のワッシャが挿入された後に、結合されもよい。
【００２４】
一方、上記第１のエンドキャップまたは第２のエンドキャップ７３、７４には、このノブ装置７０が容易に組立／分解されるようにするため、その一面に溝Ｈが形成されており、上記溝Ｈの中には、スプリングＳと共にボールスプリング体Ｂが更に設けられる。ここで、パイプは上記溝Ｈが形成された位置にホールＧを有している。
【００２５】
上記のように構成された本発明の第１〜３の実施の形態による厨房用機器の昇降装置の動作方法は、次の通りである。
【００２６】
まず、本発明の第１の実施の形態による厨房用機器の昇降装置は、別途の係止／係止解除装置を使用せず、板状のコイルスプリング４２の弾性力によって厨房用機器を昇降させたり、所定の位置に停止させたりする。
【００２７】
厨房用機器２００は図２及び図３に示したように、その背面に形成された係止溝（図示せず）が可動板２０のフック形状の係止片２２に係止されることにより可動板２０に固定１０されている。ローラー４１に巻かれた昇降懸架装置４０の板状のコイルスプリング４２には、厨房用機器２００と固定板１０とが所定の位置で平衡を保持するようにする。即ち、使用者が上記厨房用機器２００に含まれた電気グリルＧを使用するために、この厨房用機器の摘み２１０を掴んで固定板１０の下方に引っ張ると、昇降懸架装置４０の板状のコイルスプリング４２が上記ローラー４１から巻出し、使用者の所望の位置で上記コイルスプリング４２の弾性力と厨房用機器２００の荷重とが平衡をなす。従って、上記の位置で上記厨房用機器２００が固定される。
【００２８】
ここで、上記固定板１０及び可動板２０のブラケット１１，２１の間に設けられたガイドレール３０は、上記厨房用機器２００が円滑に下降できるように案内する。即ち、アウトレール３１とインナーレール３２との両方に対向されるように形成された湾曲部分の空間に、ベアリング３３が挿入されているので、このベアリング３３によって厨房用機器２００が円滑に昇降する。また、上記アウトレール３１とインナーレール３２とは、上記ブラケット１１，２１と一緒に昇降荷重を案内し、その荷重に耐えられるようにするブラケット作用（二重ブラケット機能）をする。
【００２９】
従って、使用者の所望の位置に厨房用機器２００を昇降させた後、その摘み２１０を放すと、上記厨房用機器が停止する位置で、厨房用機器２００の荷重と、板状のコイルスプリング４２の弾性力とが平衡をなし、板状のコイルスプリング４２は、上記厨房用機器の停止位置を保持する。
【００３０】
一方、任意の位置にある上記厨房用機器を元の位置（例えば、最上位置）に戻す場合、使用者は、上記厨房用機器２００の摘み２１０を掴んで下方向に少し下ろし、次に、上方向に上げていくことによって、上記厨房用機器２００が元の位置に戻る。
【００３１】
従って、本発明による厨房用機器の昇降装置は、別途の固定手段を必要とせず、使用者が厨房用機器の位置を容易に調節でき、電気オーブンのような厨房用機器がフードと共に設けられているので、食べ物が調理される時に発生する気体と、上記厨房用機器から発生する気体とを室外に完全に排出することができる。
【００３２】
上記第１の実施の形態による厨房用機器の昇降装置は、別途の固定手段を必要としないので、厨房用機器の大きさ、仕様、及びその種類によって変わる厨房用機器の荷重に対応する板状のコイルスプリングに交換しなければならない。
【００３３】
このような問題点を解決するために所定の固定手段を更に含んでいる本発明の第２の実施の形態による厨房用機器の昇降装置の動作方法は、次の通りである。
【００３４】
図４〜図７及び図９〜図１１に示したように、板状のコイルスプリング４２によって厨房用機器２００が上方向に上がらないようにするため、固定板１０に設けられた別途のストッパ６０が上記厨房用機器２００の昇降を制御する。
【００３５】
可動板２０と共に動く厨房用機器２００は、可動板２０に固定されたストッパブラケット６３にストッパピン６４によってヒンジ結合された係止具６１の一端部が、固定板１０に固定されているストッパバー５０のラック５１に係止されることにより、固定板１０の最上部または任意の位置に停止する。上記ストッパピン６４はねじりコイルばね６５と共に設けられており、このねじりコイルばね６５の弾性力によって動作する。
【００３６】
一方、上記係止具６１の他端部には、アクションワイヤ６２が連結されているので、使用者がこのアクションワイヤ６２を引っ張ると、上記係止具６１はねじりコイルばね６５を圧縮させると共に、その一端部が上記ラックから離れる。従って、使用者は、厨房用機器２００の摘み２１０を掴んで厨房用機器２００を上または下方向に移動させることができる。次に、使用者の所望の位置に厨房用機器が位置すると、使用者が上記アクションワイヤ６２を引っ張る力を緩めると、上記係止具６１は、ねじりコイルばね６５によってラック５１の方に移動する。即ち、上記係止具６１の一端部が上記ラック５１に係止されることにより、上記厨房用機器２００は、使用者の所望の位置に停止され得る。
【００３７】
上記アクションワイヤ６２を引っ張る／緩める手段は、周知の方式により解決することができるだろう。
【００３８】
本発明により上記アクションワイヤ６２を引っ張る／緩める手段は、図９〜図１１に示したように、厨房用機器２００の摘みパイプ７２の内部に設けられており、その動作方法は、次の通りである。
【００３９】
図９に示したように、アクションワイヤ６２が引っ張られなければ、上記アクションワイヤ６２の端部に固定されたスライダ７８がスライダスプリング７７によって第１のエンドキャップ７３に密接になる。
【００４０】
使用者が上記スライダ７８と垂直に結合されているノブ７９を押すと、上記スライダ７８は、タブ棒７５によって案内されながら、スライドスプリング７７を圧縮させる方向に移動すると共に、上記アクションワイヤ６２を引っ張る。従って、上記第１及び第２の実施の形態などにより厨房用機器２００を移動させることができる。
【００４１】
上記スライドノブ支持体７６は、よく知られている方式でパイプ７２の内部に固定され得るが、本発明によるスライドノブ支持体７６は、図１１に示したように、スプリングＳとボールスプリング体Ｂとを用いて上記パイプ７２の内部に押し入れて、パイプの所定位置に開いた孔Ｇに上記ボールスプリング体Ｂが固定されることによって、パイプ７２に固定される。
【００４２】
一方、図８に示したように、固定板１０と可動板２０とのそれぞれにインナーカバースライド８０とアウトカバー９０とが固定された本発明の第３の実施の形態による厨房用機器２００の昇降装置１００は、更に、厨房用機器が昇降する時、スライドされながら柔軟に作動できる煙筒を設け、且つ、更に、他の露出部位を覆うための蓋を取り付けることにより、その外観が美しくなる。上記第３の実施の形態による厨房用機器２００の昇降装置１００は、上記第１及び第２の実施の形態の装置の動作のように動作する。
【００４３】
図１２は、本発明の第４の実施の形態による厨房用機器の昇降装置を示した正面図であり、図１３は、図１２の分解斜視図である。
【００４４】
図示されたように、本発明による厨房用機器の昇降装置１００は、両方の外側面に形成された外方ブラケット１１を備え、ねじによって厨房の壁面に取り付けられている固定板１０と、上記外方ブラケット１１に対応してその内方に形成された内方ブラケット２１を両方に備え、前面板の両方に昇降される厨房用機器２００の後面が係止され得るようにフック形状の係止片２２が形成された可動板２０と、上記固定板１０及び上記可動板２０の両方に形成された外方ブラケット１１及び内方ブラケット２１の間に長手方向に設けられたガイドレール３０と、ねじ４１Ａによって上記固定板１０の下部の折曲げフランジ１０Ｆと可動板の上部の折曲げフランジ２０Ｆとの間に少なくとも１個以上のガススプリング４０Ａとを含む。
【００４５】
上記ガススプリング４０Ａは、所定の弾性力を有しているので、この弾性力と厨房用機器の荷重とが平衡をなす位置に上記厨房用機器を停止させる。
【００４６】
一方、上記ガイドレール３０は、第１の実施の形態のように構成されている。
【００４７】
図１４は、本発明の第５の実施の形態による厨房用機器の昇降装置を示した分解斜視図であり、図１５は、本発明の第５の実施の形態による厨房用機器の昇降装置の正面図である。また、図１６は、図１５を詳しく示した拡大図であり、図１７は、本発明による第５の実施の形態の側面図である。
【００４８】
図示されたように、第５の実施の形態による厨房用機器の昇降装置は、第４の実施の形態の固定板１０と可動板２０とに第２の昇降位置固定手段を更に含む。
【００４９】
上記第２の固定手段は、上記固定板１０に取り付けられ、ラック５１が形成されたストッパバー５０と、上記ストッパバー５０の長手方向に上下に昇降されながら、上記可動板２０に形成された孔２３を介して係止／係止解除する係止具６１を含むストッパ６０と、昇降される厨房用機器２００の前方面の所定位置に設けられたノブ７１Ａと、上記ノブ７１Ａを作動させることにより、上記ストッパ６０の係止具６１を引っ張る／弛緩させるために、上記係止具６１と上記ノブ７１Ａとを連結するアクションワイヤ６２とを含むノブ装置７０Ａを含む。
【００５０】
上記ストッパ６０は、上記可動板２０に固定されるストッパブラケット６３と、上記ストッパブラケット６３にストッパピン６４で結合されてＥ字形状のつめリングで固定されたフック形状の係止具６１と、上記固定板１０に固定された上記ストッパバー５０のラック５１に上記係止具６１の一端部を係止させるねじりコイルばね６５と、上記係止具６１の他端部を上記アクションワイヤ６２と連結させるピン６２Ｐとを含む。
【００５１】
図１８は本発明の第６の実施の形態であって、上記固定板１０と上記可動板２０とのそれぞれにインナーカバースライド８０とアウトカバー９０とがそれぞれ固定され、厨房用機器の昇降作用によって上記インナーカバースライド８０がスライディングされ、フレキシブルな煙筒などの排出装置を覆うことができるように構成されていてもよい。
【００５２】
一方、上記ノブ装置７０Ａと上記第２の固定手段とが連結される関係は、次の通りである。
【００５３】
図２０は、係止状態にある本発明による厨房用機器に取り付けられたノブ装置の背面図であり、図１９は係止解除状態にある本発明による厨房用機器に取り付けられたノブ装置の背面図である。また、図２１は、図２０のＡ−Ａ線に対する断面図である。
【００５４】
図示されたように、上記ノブ装置７０Ａは、上記厨房用機器２００の一方面から突出されたノブ７１Ａと、上記ノブ７１Ａの中心が連結された軸７２Ａと、上記軸７２Ａが貫通し、この貫通した軸７２Ａの端部と上記アクションワイヤケーブル６２−１とを連結させ、ボールスプリング７３Ａと係止顎７４Ａとを備えた固定部７５Ａと、上記固定部７５Ａに結合され、上記係止顎７４Ａにより上記ノブ７１Ａの回転角度を制限するガイド切欠部７６Ａと、アクションワイヤ６２Ａの端と連結される上記ピン６２Ｐを固定する固定ブラケット７７Ａを含む回転板７８Ａとを含む。
【００５５】
上記アクションワイヤケーブル６２−１は、固定具７９Ａによって上記ノブ装置７０の予め決定された位置に固定される。
【００５６】
上記のように構成された本発明の第４〜６の実施の形態による厨房用機器の昇降装置の動作方法は、次の通りである。
【００５７】
まず、本発明の第４の実施の形態による厨房用機器の昇降装置は、別途の係止／係止解除装置を使用せず、ガス昇降した後、ガススプリングの弾性力によって厨房用機器を昇降させたり、所定の位置に停止させたりする。
【００５８】
厨房用機器２００は、図１２及び図１３に示したように、その背面に形成された係止溝（図示せず）が可動板２０のフック形状の係止片２２に係止されることによって可動板に固定されている。上記ガススプリング４０Ａは、上記固定板２０と上記可動板２０との折曲げフランジ１０Ｆ、２０Ｆの間に設けられており、上記可動板２０が昇降することによりこのガススプリング４０Ａの長さが伸縮し、厨房用機器の荷重と平衡を保持する。このガススプリング４０Ａの変化した長さ、或いは、位置で上記厨房用機器が停止させる。即ち、使用者が上記厨房用機器２００に含まれた電気グリルＧを使用するために、上記厨房用機器２００の摘み２１０を掴んでその下方に引っ張ると、可動板２０に固定された上記厨房用機器２００は、上記ガススプリング４０Ａの胴体及びロードが挿脱されることにより、上記固定板１０の下方に下降して使用者が所望の位置に固定される。この時、上記ガススプリング４０Ａの変化した長さで上記ガススプリング４０Ａの弾性力は、上記厨房用機器２００の荷重と平衡をなす。
【００５９】
上記固定板１０及び可動板２０のブラケット１１、２１の間に設けられたガイドレール３０は、上記厨房用機器２００が円滑に下降できるように案内する。即ち、アウトレール３１とインナーレール３２との両方に対向されるように形成された湾曲部分の空間にベアリング３３が挿入されているため、このベアリング３３によって厨房用機器２００が円滑に昇降する。また、上記アウトレール３１とインナーレール３２とは、上記ブラケット１１，２１と一緒に昇降荷重を案内し、その荷重に耐えられるようにするブラケット作用（二重ブラケット機能）をする。
【００６０】
従って、使用者の所望の位置に厨房用機器２００を昇降させた後、その摘み２１０を放すと、上記厨房用機器が停止する位置で、厨房用機器２００の荷重と、板状のコイルスプリング４２の弾性力とが平衡をなし、板状のコイルスプリング４２は、上記厨房用機器の停止位置を保持する。
【００６１】
一方、任意の位置にある上記厨房用機器を元の位置（例えば、最上位置）に戻す場合、使用者は、上記厨房用機器２００の摘み２１０を掴んで下方向に少し下ろし、次に、上方向に上げていくことによって、上記厨房用機器２００が元の位置に戻る。
【００６２】
従って、本発明による厨房用機器の昇降装置は、別途の固定手段を利用せず、使用者が厨房用機器の位置を容易に調節でき、電気オーブンのような厨房用機器がフードと共に設けられるので、食べ物が調理される時に発生する気体と、上記厨房用機器から発生する気体とを室外に完全に排出することができる。
【００６３】
上記第４の実施の形態による厨房用機器の昇降装置は別途の固定手段を利用しないので、厨房用機器の大きさ、仕様、及びその種類によって変わる厨房用機器の荷重に対応するガススプリング４０Ａを設計しなければならない。
【００６４】
このような問題点を解決するために、所定の固定手段を更に含む、本発明の第５の実施の形態による厨房用機器の昇降装置の動作方法を説明すれば、次の通りである。
【００６５】
図１４〜図１７及び図１９〜図２１に示したように、上記ガススプリング４０Ａによって厨房用機器が一つの位置に支持され得るようにするために、第２の実施の形態のように、固定板に設けられた別途のストッパ６０が上記厨房用機器の昇降を制御する。
【００６６】
可動板２０と共に動く厨房用機器２００は、可動板２０に固定されたストッパブラケット６３にストッパピン６４によってヒンジ結合された係止具６１の一端部が、固定板１０に固定されているストッパバー５０のラック５１に係止されることにより、固定板１０の最上部または任意の位置に停止する。上記ストッパピン６４はねじりコイルばね６５と共に設けられており、このねじりコイルばね６５の弾性力によって動作する。
【００６７】
一方、上記係止具６１の他端部には、アクションワイヤ６２が連結されているので、使用者がこのアクションワイヤ６２を引っ張ると、上記係止具６１はねじりコイルばね６５を圧縮させると共に、その一端部が上記ラックから離れる。従って、使用者は、厨房用機器２００の摘み２１０を掴んで厨房用機器２００を上または下方向に移動させることができる。次に、使用者の所望の位置に厨房用機器が位置すると、使用者が上記アクションワイヤ６２を引っ張る力を緩めると、上記係止具６１は、ねじりコイルばね６５によってラック５１の方に移動する。即ち、上記係止具６１の一端部が上記ラック５１に係止されることにより、上記厨房用機器２００は、使用者の所望の位置に停止され得る。
【００６８】
本発明により上記アクションワイヤ６２を引っ張る／緩める手段は、図１９〜図２１に示したように、厨房用機器の前面に設けられたノブ装置７０Ａであって、その動作方法は、次の通りである。
【００６９】
まず、使用者がノブ７１Ａを回すと、上記固定部７５Ａに設けられたボールスプリング７３Ａは、ノブと連結された上記回転板７８Ａが固定板７５Ａの上で円滑に回転できるようにする。この時、上記回転板は固定板にある係止顎７５によってその回転角度が制限されて固定される。従って、使用者が所望の回転角度まで上記ノブが回転されたら、上記アクションワイヤケーブル６２−１は上記ノブが回転された円弧に該当する長さだけ上記ラックから移動される。
【００７０】
従って、上記アクションワイヤケーブル６２−１がノブ装置に移動すると、ラックに固定された係止具の端が上記ラックより離れ、それにより、可動板２０に固定された上記厨房用機器２００は上記ガススプリング４０Ａの弾性力の影響を受け、固定板１０に対して昇降をする。昇降して使用者が所望の位置に到達すると、上記ノブを元の状態に戻しておくことにより、上記係止具の端部が上記ラックに固定され、それにより、上記厨房用機器は上記位置に固定される。
【発明の効果】
今まで説明した本発明による厨房用機器及びその昇降装置は、厨房の壁面に設けられ、その設けられる高さが自由に設定することができ、厨房用機器及び調理される食べ物から発生する気体を厨房から室外に完全に排出することができる。
【図面の簡単な説明】
【図１】
本発明による厨房用機器とその昇降装置を示した斜視図。
【図２】
本発明の第１の実施の形態による厨房用機器の昇降装置を示した正面図。
【図３】
図２の分解斜視図。
【図４】
本発明の第２の実施の形態による厨房用機器の昇降装置を示した分解斜視図。
【図５】
本発明の第２の実施の形態による厨房用機器の昇降装置の正面図。
【図６】
図５を詳しく示した拡大図。
【図７】
本発明による第２の実施の形態の側面図。
【図８】
本発明の第３の実施の形態による厨房用機器の昇降装置の正面図。
【図９】
本発明による厨房用機器の摘みに含まれたノブ装置の正断面図。
【図１０】
図９の平断面図。
【図１１】
図９または図１０のノブ装置を分解して示した分解斜視図。
【図１２】
本発明の第４の実施の形態による厨房用機器の昇降装置を示した正面図。
【図１３】
図１２の分解斜視図。
【図１４】
本発明の第５の実施の形態による厨房用機器の昇降装置を示した分解斜視図。
【図１５】
本発明の第５の実施の形態による厨房用機器の昇降装置の正面図。
【図１６】
図１５を詳しく示した拡大図。
【図１７】
本発明による第５の実施の形態の側面図。
【図１８】
本発明の第６の実施の形態による厨房用機器の昇降装置の正面図。
【図１９】
係止解除状態にある本発明による厨房用機器に取り付けられたノブ装置の背面図。
【図２０】
係止状態にある本発明による厨房用機器に取り付けられたノブ装置の背面図。
【図２１】
図１９のＡ−Ａ線に対する断面図である。
【図１】
2004520564.tif 000003
【図２】
2004520564.tif 000004
【図３】
2004520564.tif 000005
【図４】
2004520564.tif 000006
【図５】
2004520564.tif 000007
【図６】
2004520564.tif 000008
【図７】
2004520564.tif 000009
【図８】
2004520564.tif 000010
【図９】
2004520564.tif 000011
【図１０】
2004520564.tif 000012
【図１１】
2004520564.tif 000013
【図１２】
2004520564.tif 000014
【図１３】
2004520564.tif 000015
【図１４】
2004520564.tif 000016
【図１５】
2004520564.tif 000017
【図１６】
2004520564.tif 000018
【図１７】
2004520564.tif 000019
【図１８】
2004520564.tif 000020
【図１９】
2004520564.tif 000021
【図２０】
2004520564.tif 000022
【図２１】
2004520564.tif 000023
【国際公開パンフレット】
2004520564.tif 000024
2004520564.tif 000025
2004520564.tif 000026
2004520564.tif 000027
2004520564.tif 000028
2004520564.tif 000029
2004520564.tif 000030
2004520564.tif 000031
2004520564.tif 000032
2004520564.tif 000033
2004520564.tif 000034
2004520564.tif 000035
2004520564.tif 000036
2004520564.tif 000037
2004520564.tif 000038
2004520564.tif 000039
2004520564.tif 000040
2004520564.tif 000041
2004520564.tif 000042
2004520564.tif 000043
2004520564.tif 000044
2004520564.tif 000045
2004520564.tif 000046
2004520564.tif 000047
2004520564.tif 000048
2004520564.tif 000049
2004520564.tif 000050
2004520564.tif 000051
2004520564.tif 000052
2004520564.tif 000053
2004520564.tif 000054
2004520564.tif 000055
2004520564.tif 000056
2004520564.tif 000057
2004520564.tif 000058
2004520564.tif 000059
2004520564.tif 000060
2004520564.tif 000061
2004520564.tif 000062
2004520564.tif 000063
2004520564.tif 000064
2004520564.tif 000065
2004520564.tif 000066
2004520564.tif 000067
2004520564.tif 000068
2004520564.tif 000069
【国際調査報告】
2004520564.tif 000070
2004520564.tif 000071
2004520564.tif 000072